(57)【特許請求の範囲】
【請求項１】
防火装置による防火区画の形成を補助する防火区画形成補助装置であって、
前記防火装置近傍の床として水平に配設される可動床材と、前記可動床材を傾動させる傾動機構とを備えて構成されており、
前記傾動機構が、前記可動床材に回動力を付与する可動機構と、通常時に前記可動床材を水平状態で保持し、防火区画を形成する際に前記防火装置の駆動を利用した電磁誘導作用によって前記可動床材の保持状態を解除する電磁ロック機構とを備え、
前記電磁ロック機構による前記可動床材の保持状態が解除されるとともに前記可動機構が付与する回動力によって前記可動床材が傾動するように構成されていることを特徴とする防火区画形成補助装置。
【発明の詳細な説明】
【技術分野】
【０００１】
本発明は、防火区画形成補助装置に関する。
【背景技術】
【０００２】
建築物には、火災発生時の拡大防止、避難、消火、救助活動等を容易にすることを目的として所定の耐火性能を有する防火区画を設けることが義務付けられている。
【０００３】
また、防火区画を形成する手段として、通常は人の通行を可能にし、火災時に火炎の貫通を防止して防火区画を形成する防火装置が用いられ、この防火装置として、図７に示すように、火災時に火災感知器１の作動に連動して自動で降下して防火区画を形成する防火シャッター２が多用されている。
【０００４】
また、自動で降下する防火シャッターに挟まれる人身事故が発生したことから、防火シャッター下部に障害物が検出されるとともに防火シャッターの降下を自動的に停止させる安全装置を設けて構成したものがある（例えば、特許文献１参照）。
【０００５】
一方、このような安全装置を設けた場合には、火災時に例えば段ボール箱等の障害物を検出して防火シャッターの降下が停止し、この障害物を保安要員などによって人的に排除しない限り防火区画が形成できないという不都合を招くことになる。
【０００６】
これに対し、防火シャッターの下部に、耐火性に優れた布状部材などの変形自在な耐火性部材を設けたり、散水ヘッドから防火シャッターに向けて散水することで流下水幕を形成し、防火シャッターが完全に降下していない場合でもこれら布状部材や流下水幕で防火区画を形成する手法が提案されている（例えば、特許文献２参照）。
【先行技術文献】
【特許文献】
【０００７】
【特許文献１】特開２００８−２５１８９号公報
【特許文献２】特開２０１３−１４４８８０号公報
【発明の概要】
【発明が解決しようとする課題】
【０００８】
しかしながら、防火シャッターの下部に変形容易な耐火性のある布状部材を設けたり、散水を行って流下水幕を形成することにより防火区画を形成する手法においては、防火区画の形成状態が不十分であったり、高価で複雑な仕組みが必要になるなどの問題があった。
【０００９】
上記事情に鑑み、本発明は、障害物を排除して好適に防火区画を形成できるようにするための防火区画形成補助装置を提供することを目的とする。
【課題を解決するための手段】
【００１０】
上記の目的を達するために、この発明は以下の手段を提供している。
【００１１】
本発明の防火区画形成補助装置は、防火装置による防火区画の形成を補助する防火区画形成補助装置であって、前記防火装置近傍の床として水平に配設される可動床材と、前記可動床材を傾動させる傾動機構とを備えて構成されており、前記傾動機構が、前記可動床材に回動力を付与する可動機構と、通常時に前記可動床材を水平状態で保持し、防火区画を形成する際に前記防火装置の駆動を利用した電磁誘導作用によって前記可動床材の保持状態を解除する電磁ロック機構とを備え、前記電磁ロック機構による前記可動床材の保持状態が解除されるとともに前記可動機構が付与する回動力によって前記可動床材が傾動するように構成されていることを特徴とする。
【発明の効果】
【００１６】
本発明の防火区画形成補助装置においては、防火装置が駆動（作動）するとともに障害物を排除することができ、好適に防火区画を形成することが可能になる。
【図面の簡単な説明】
【００１７】
【図１】本発明の第１実施形態に係る防火区画形成補助装置を示す図である。
【図２】本発明の第１実施形態に係る防火区画形成補助装置を示す図である。
【図３】本発明の第２実施形態に係る防火区画形成補助装置を示す図である。
【図４】本発明の第２実施形態に係る防火区画形成補助装置を示す図である。
【図５】本発明の第３実施形態に係る防火区画形成補助装置を示す図である。
【図６】本発明の第３実施形態に係る防火区画形成補助装置を示す図である。
【図７】防火シャッター（防火装置）の一例を示す図である。
【発明を実施するための形態】
【００１８】
以下、図１及び図２を参照し、本発明の第１実施形態に係る防火区画形成補助装置について説明する。
【００１９】
本実施形態の防火区画形成補助装置は、安全、確実に防火シャッターを床面まで降下させ、火災を検知してから速やかに防火区画を形成できるようにするための装置である。
【００２０】
具体的に、本実施形態の防火区画形成補助装置Ａは、図１及び図２に示すように、防火シャッター（防火装置）２の下方の床面に水平に収納して水平から直立するように回動可能に配設された可動耐火パネル（可動床材）３と、可動耐火パネル３に回動力を付与して傾動させる可動機構４と、通常時（日常の施設運用時、平常時）に可動耐火パネル３を水平状態で保持するためのロック機構５とを備えて構成されている。
なお、本実施形態では、可動機構４とロック機構５によって傾動機構が構成されている。
【００２１】
可動耐火パネル３は、例えば表面が軟質衝撃吸収素材を用いて形成され、内蔵したオートヒンジ機構などの可動機構４に回動可能に接続して設けられている。
【００２２】
また、可動耐火パネル３は、通常時に床面に収納され、電磁ロック機構などのロック機構５によって水平状態が保持されている。さらに、本実施形態では、この可動耐火パネル３が幅寸法を約９０ｃｍにすることを基本とし、防火シャッター２の全幅に合わせて複数並設されている。また、可動耐火パネル３は、例えばその高さ寸法を約４５ｃｍにして形成され、８ｇｋ程度の重量とされている。
【００２３】
そして、本実施形態の防火区画形成補助装置Ａにおいては、火災感知器１が作動し、連動信号によって防火シャッター２が自動降下し始めると、シャッター回動軸に接続されている複数のフェライト磁石及び固定されているコイルとの電磁誘導作用によってシャッター回動軸の回転力を起動力に変換し、ケーブル接続されている床面内の電磁ロック機構５を開放する。
【００２４】
これにより、この防火区画形成補助装置Ａでは、防火シャッター２の降下に連動して床面直近に水平に収納されている可動耐火パネル３が可動機構４によって回動（傾動）し、設定した時間内に水平状態から直立する。そして、このとき、防火シャッター２の下方に箱などの障害物Ｍがあった場合には、可動耐火パネル３が直立する９０度回転モーメント力で作動によって障害物Ｍを押圧し防火シャッター２の直下から排除する。
【００２５】
また、複数の可動耐火パネル３が直立することによって防火シャッター２の下部から通り抜けようとすることが阻止され、防火シャッター２による挟まれ事故の発生が抑止される。
【００２６】
なお、複数の可動耐火パネル３は、各可動耐火パネル３が端から順に回動して直立してゆくように制御しても、一斉に回動して直立するように制御してもよい。また、可動耐火パネル３が直立する作動途中では、避難方向に押し倒し可能にしておき、偶発特例的事象に対して安全性を確保するようにしておくことが好ましい。さらに、可動耐火パネル３は必ずしも直立（９０度の角度で立設）するまで回動しなくてもよい。
【００２７】
また、上記のように可動耐火パネル３の重量などに応じ、必要モーメント力を確保できるようにオートヒンジ機構４のトルク特性を設定することになる。
【００２８】
したがって、本実施形態の防火区画形成補助装置Ａにおいては、防火シャッター２の降下に連動して床面直近に水平に収納されている可動耐火パネル３が回動し、設定した時間内に水平状態から直立することで、防火シャッター２の降下時に下を通り抜けようとする行為を阻止して避難安全性を確保することができる。
【００２９】
また、防火シャッター２の降下時に可動耐火パネル３が回動して立設することによって、例えば箱やボールのようなものなどの障害物Ｍを自動的に防火シャッター２の下方から排除することができ、迅速確実な防火区画の形成が可能になる。
【００３０】
なお、可動耐火パネル３を止水板として機能させるようにすれば、地下街などでの浸水防止を図ることも可能であり、水損防止にも有効である。
【００３１】
以上、本発明に係る防火区画形成補助装置の一実施形態について説明したが、本発明は上記の第１実施形態に限定されるものではなく、その趣旨を逸脱しない範囲で適宜変更可能である。
【００３２】
例えば、本実施形態では、開口部を閉じて防火区画を形成する防火装置が防火シャッター２であるものとして説明を行ったが、防火シャッター２以外の防火装置で防火区画を形成する際に本発明の防火区画形成補助装置Ａを適用しても勿論構わない。
【００３３】
次に、図３及び図４を参照し、本発明の第２実施形態に係る防火区画形成補助装置について説明する。
【００３４】
ここで、本実施形態は、第１実施形態と同様、防火シャッターなどの防火装置によって防火区画を形成する際に、床上に置かれた箱などの障害物を排除して好適に防火装置で防火区画を形成できるようにするための防火区画形成補助装置に関するものである。よって、本実施形態では、第１実施形態と同様の構成に対して同一符号を付し、その詳細な説明を省略する。
【００３５】
本実施形態における防火区画形成補助装置Ｂは、図３及び図４に示すように、床上に放置されている障害物（物体）Ｍの大きさ、重量などを自動で認識し、この障害物Ｍに適切な外力を与えて移動させ、防火シャッターなどの防火装置２で確実に防火区画を形成できるようにするための装置である。
【００３６】
具体的に、本実施形態の防火区画形成補助装置Ｂは、床面に整列配置して内蔵した複数の圧電素子（圧電素子群、傾動機構）６と、圧電素子群６の上を人が歩行することで発生する電力を蓄電するバッテリー（蓄電池）７と、これらを制御する制御装置（不図示）とを備えて構成されている。
【００３７】
上記構成からなる本実施形態の防火区画形成補助装置Ｂでは、通常時（日常の施設運用時、平常時）に、圧電素子６を内蔵したり、圧電素子６上に配置された床材（可動床材）上を歩行者が通行することでバッテリー７に電力が充電される。また、所定範囲の床材上に物体Ｍが放置されている場合には、所定の範囲面下に配置された圧電素子６からの起電力数値によって検出され、この検出結果を受けた制御装置が予め設定された継続時間、エリア、重量等をデータとして備えた変換テーブルと照らし合わせ、障害物Ｍであるか否かを判定する。
【００３８】
そして、判定の結果、設定時間より長く物体が放置されている場合には、アラームで覚知させ、さらに防火シャッターなどの防火装置２の作動時（緊急事象発生時）には、圧電素子群６にバッテリー７から電力を供給して振動を発生させ、この振動によって（床材を傾動させ）障害物Ｍを強制的に所定の範囲外に移動させる。また、このとき、センシングした障害物Ｍの大きさ、重量などにより圧電素子群６の作動を制御し、確実に障害物Ｍを振動力で所定の範囲外に移動させるようにする。
【００３９】
したがって、本実施形態の防火区画形成補助装置Ｂにおいては、まず、圧電素子６を床材に内蔵するなどしておくことで、防火区画形成時に防火装置２の近辺での人的な滞留を把握することができる。そして、この人的な滞留の状態に応じて防火シャッター２の下降（防火装置の駆動）を調節することができ、避難安全性を確保することができる。
【００４０】
また、防火シャッターなどの防火装置２の駆動に連動させて例えば箱やボールのようなものなどの障害物Ｍを自動的に排除することができ、迅速確実な防火区画の形成が可能になる。
【００４１】
さらに、コンパクトで安価な圧電素子６を面上に配置して容易に構成できるため、信頼性、経済性に優れた防火区画形成補助装置Ｂを実現することができる。
【００４２】
以上、本発明に係る防火区画形成補助装置の第２実施形態について説明したが、本発明は上記の第２実施形態に限定されるものではなく、第１実施形態の変更例を含め、その趣旨を逸脱しない範囲で適宜変更可能である。
【００４３】
例えば、本実施形態と第１実施形態を組み合わせ、圧電素子６によって発電し、バッテリー（蓄電池）７に蓄電された電力を電磁ロック機構５の起電力に利用し、電磁ロック機構５による可動耐火パネル（可動床材）３の保持状態が解除されるとともに可動機構４が付与する回動力によって可動耐火パネル３が傾動するように構成してもよい。
【００４４】
次に、図５及び図６を参照し、本発明の第３実施形態に係る防火区画形成補助装置について説明する。
【００４５】
ここで、本実施形態は、第１、第２実施形態と同様、床上に放置されている障害物を移動させ、防火シャッターなどの防火装置で確実に防火区画を形成できるようにするための防火区画形成補助装置に関するものである。よって、本実施形態では、第１、第２実施形態と同様の構成に対して同一符号を付し、その詳細な説明を省略する。
【００４６】
図５及び図６に示すように、本実施形態の防火区画形成補助装置Ｃは、床面を形成する可動床材８と、可動床材８の下方に配設された滑動機構９と、滑動機構９を可動床材８とともに傾動させるための傾動機構１０とを備えて構成されている。
【００４７】
滑動機構９は、可動床材８に下面側から当接し、傾動するとともに可動床材８を下方に滑らせて移動するためのものである。そして、本実施形態の滑動機構９は、可動床材８の下方に配設された傾動パネル１１と、傾動パネル１１上に載置され、可動床材８と傾動パネル１１の間に配設された複数の鋼球などの球体１２とを備えて構成されている。
【００４８】
また、本実施形態の傾動機構１０は、電磁レリーズなどの駆動手段１３と、この駆動手段１３の駆動によって上方にスライド移動し、傾動パネル１１を押圧して傾動させる駆動棒１４とを備えて構成されている。本実施形態では、防火シャッターなどの防火装置２が作動するとともに、これを検知して電磁レリーズなどの駆動手段１３が駆動し、傾動パネル１１を傾動させるように構成されている。
【００４９】
そして、上記構成からなる本実施形態の防火区画形成補助装置Ｃにおいては、防火シャッター（防火装置）２が下降すると、これに連動して電磁レリーズなどの駆動手段１３が駆動し、傾動パネル１１の一端を駆動棒１４が上方に押し上げて（ジャッキアップして）傾動パネル１１を傾動させる。また、傾動パネル１１上の複数の球体１２が可動床材８に当接し、可動床材８が傾動するとともに複数の球体１２の回動によって下方に滑動する。
【００５０】
これにより、防火シャッター２の下方に障害物Ｍが放置されている場合であっても、可動床材８が傾動して滑ることで、この可動床材８とともに障害物Ｍを防火シャッター２の下方から排除することができる。
【００５１】
また、球体１２を用いて可動床材８を滑動させることで、メンテナンスの手間を低減することが可能になるとともに、障害物Ｍが重量物である場合であっても確実に可動床材８とともに滑動させて排除することが可能になる。
【００５２】
また、傾動パネル１１、可動床材８が傾動することによって、防火シャッター２の下部から通り抜けようとすることを阻止することができ、防火シャッター２による挟まれ事故の発生を抑止することが可能になる。
【００５３】
さらに、通常時（日常の施設運用時、平常時）は、可動床材８上を歩行者が通常通行する。この可動床材８を通常の床材と異なる素材（色彩含む）にすることで、防火シャッター２の下方に物を放置しないように促すことも可能になる。
【００５４】
以上、本発明に係る防火区画形成補助装置の第３実施形態について説明したが、本発明は上記の第３実施形態に限定されるものではなく、第１、第２実施形態の変更例を含め、その趣旨を逸脱しない範囲で適宜変更可能である。
【００５５】
例えば、本実施形態の滑動機構９を第１実施形態に適用し、可動機構（傾動機構）４で可動耐火パネル（可動床材）３が回動し、所定の角度まで傾動するとともに滑動機構９によって可動耐火パネル３を障害物Ｍとともに滑動させて障害物Ｍを排除するように構成してもよい。
【００５６】
また、本実施形態と第２実施形態を組み合わせ、可動床材８に内蔵して、あるいは可動床材８の下方に配置して圧電素子６を設け、通常時に可動床材８上を歩行者が歩行する力を利用して圧電素子６によって発電し、発電した電力をバッテリー（蓄電池）７に蓄電し、このバッテリー７から駆動手段１３を駆動する電力を供給するように構成してもよい。
【００５７】
さらに、圧電素子６による振動と滑動機構９による滑動を組み合わせて可動床材８を障害物Ｍとともに排除するように構成してもよい。
【符号の説明】
【００５８】
１    火災感知器
２    防火シャッター（防火装置）
３    可動耐火パネル（可動床材）
４    可動機構（傾動機構）
５    電磁ロック機構（傾動機構）
６    圧電素子（圧電素子群）
７    バッテリー（蓄電池）
８    可動床材
９    滑動機構
１０  傾動機構
１１  傾動パネル
１２  球体
１３  駆動手段
１４  駆動棒
Ａ    防火区画形成補助装置
Ｂ    防火区画形成補助装置
Ｃ    防火区画形成補助装置
Ｍ    障害物（物体）
【図１】
0006590183.tif 000002
【図２】
0006590183.tif 000003
【図３】
0006590183.tif 000004
【図４】
0006590183.tif 000005
【図５】
0006590183.tif 000006
【図６】
0006590183.tif 000007
【図７】
0006590183.tif 000008